(57)【要約】【課題】  深夜電力時間帯において必要最小限の台数のヒートポンプ式熱源機を運転しながら、湯温低下のない確実な貯湯が可能な信頼性にすぐれた給湯システムを提供する。【解決手段】  各ヒートポンプ式熱源機２の単位時間当たりの出湯流量Ｗａを、各ヒートポンプ式熱源機２への入水温度Ｗｉ、設定出湯温度Ｔｗａ、外気温度Ｔｏから算出する。貯湯タンク５の貯湯量が予め定められている設定貯湯量Ｗｍｓに達するまでの必要貯湯量Ｗｎを、貯湯タンク５の残り湯量Ｗｍおよび設定貯湯量Ｗｍｓから算出する。深夜電力時間帯における貯湯開始時刻から貯湯終了時刻までの時間ｔｎを算出する。深夜電力時間帯における各ヒートポンプ式熱源機２の運転台数Ｎを、出湯流量Ｗａ、必要貯湯量Ｗｎ、および時間ｔｎから算出する。【選択図】図２
2010230175.tif 000002
【特許請求の範囲】
【請求項１】
水を加熱して湯を生成する複数のヒートポンプ式熱源機と、これらヒートポンプ式熱源機で生成した湯を貯える貯湯タンクと、前記各熱源機を制御する制御手段と、を備えた給湯システムにおいて、
前記制御手段は、
前記各ヒートポンプ式熱源機の単位時間当たりの出湯流量Ｗａを、各ヒートポンプ式熱源機への入水温度、予め定められている設定出湯温度、および外気温度から算出する手段と、
前記貯湯タンクの貯湯量が設定貯湯量に達するまでの必要貯湯量Ｗｎを、その貯湯タンクの残り湯量および前記設定貯湯量から算出する手段と、
深夜電力時間帯における貯湯開始時刻から貯湯終了時刻までの時間ｔｎを算出する手段と、
深夜電力時間帯における前記各ヒートポンプ式熱源機の運転台数Ｎを、前記出湯流量Ｗａ、前記必要貯湯量Ｗｎ、および前記時間ｔｎから算出する手段と、
を有することを特徴とする給湯システム。
【請求項２】
水を加熱して湯を生成する複数のヒートポンプ式熱源機と、これらヒートポンプ式熱源機で生成した湯を貯える貯湯タンクと、前記各熱源機を制御するシステム制御部と、を備えた給湯システムにおいて、
前記各ヒートポンプ式熱源機は、単位時間当たりの出湯流量Ｗａを、その各ヒートポンプ式熱源機への入水温度、予め定められている設定出湯温度、および外気温度から算出する手段と、この算出した出湯流量Ｗａを前記システム制御部に知らせる手段とを有し、
前記システム制御部は、前記貯湯タンクの貯湯量が設定貯湯量に達するまでの必要貯湯量Ｗｎを、その貯湯タンクの残り湯量および前記設定貯湯量から算出する手段と、深夜電力時間帯における貯湯開始時刻から貯湯終了時刻までの時間ｔｎを算出する手段と、深夜電力時間帯における前記各ヒートポンプ式熱源機の運転台数Ｎを、前記出湯流量Ｗａ、前記必要貯湯量Ｗｎ、および前記時間ｔｎから算出する手段とを有する、
ことを特徴とする給湯システム。
【請求項３】
前記運転台数Ｎを算出する手段は、その算出を貯湯開始から所定時間ごとに実行することを特徴とする請求項１または請求項２に記載の給湯システム。
【請求項４】
前記算出される運転台数Ｎが整数でないとき、貯湯開始時刻から所定時間は運転台数Ｎの小数点以下を切り捨てた値を新たな運転台数として設定し、かつ貯湯終了時刻までの残りの時間は運転台数Ｎの小数点以下を切り上げた値を新たな運転台数として設定する手段、
をさらに有することを特徴とする請求項１または請求項２に記載の給湯システム。
【発明の詳細な説明】
【技術分野】
【０００１】
この発明は、複数のヒートポンプ式熱源機を備えた給湯システムに関する。
【背景技術】
【０００２】
複数のヒートポンプ式熱源機で湯を生成し、生成した湯を貯湯タンクに貯え、貯えた湯を利用者が必要に応じて使用できる給湯システムが知られている（例えば特許文献１）。
【先行技術文献】
【特許文献】
【０００３】
【特許文献１】特開２００７−２０５６９８号公報
【発明の概要】
【発明が解決しようとする課題】
【０００４】
複数のヒートポンプ式熱源機を有する給湯システムでは、省エネルギー・省コストの観点から、運転を深夜電力時間帯（例えば２２時〜８時）に行うこと、しかもヒートポンプ式熱源機が必要最小限の台数で運転し、給湯開始直前に貯湯が完了することなどが望まれる。
【０００５】
しかしながら、運転台数の適切な設定が難しく、例えば貯湯が完了しないうちに深夜電力時間帯の最終時刻を過ぎて運転が止まったり、深夜電力時間帯の最終時刻より前に貯湯が完了しても、その貯湯完了が最終時刻よりかなり前の場合は湯温が低下してしまうことがある。
【０００６】
この発明は、上記の事情を考慮したもので、その目的は、深夜電力時間帯において必要最小限の台数のヒートポンプ式熱源機を運転しながら、湯温低下のない確実な貯湯が可能な信頼性にすぐれた給湯システムを提供することである。
【課題を解決するための手段】
【０００７】
請求項１に係る発明の給湯システムは、水を加熱して湯を生成する複数のヒートポンプ式熱源機と、これらヒートポンプ式熱源機で生成した湯を貯える貯湯タンクと、前記各熱源機を制御する制御手段とを備えたものであって、制御手段は、各ヒートポンプ式熱源機の単位時間当たりの出湯流量Ｗａを、各ヒートポンプ式熱源機への入水温度、予め定められている設定出湯温度、および外気温度から算出する手段と、貯湯タンクの貯湯量が予め定められている設定貯湯量に達するまでの必要貯湯量Ｗｎを、その貯湯タンクの残り湯量および前記設定貯湯量から算出する手段と、深夜電力時間帯における貯湯開始時刻から貯湯終了時刻までの時間ｔｎを算出する手段と、深夜電力時間帯における各ヒートポンプ式熱源機の運転台数Ｎを、出湯流量Ｗａ、必要貯湯量Ｗｎ、および時間ｔｎから算出する手段とを有する。
【０００８】
請求項２に係る発明の給湯システムは、水を加熱して湯を生成する複数のヒートポンプ式熱源機と、これらヒートポンプ式熱源機で生成した湯を貯える貯湯タンクと、前記各熱源機を制御するシステム制御部とを備えたものであって、各ヒートポンプ式熱源機は、単位時間当たりの出湯流量Ｗａを、各ヒートポンプ式熱源機への入水温度、予め定められている設定出湯温度、および外気温度から算出する手段と、この算出した出湯流量Ｗａを前記システム制御部に知らせる手段とを有する。システム制御部は、貯湯タンクの貯湯量が予め定められている設定貯湯量に達するまでの必要貯湯量Ｗｎを、その貯湯タンクの残り湯量および予め定められている設定貯湯量から算出する手段と、深夜電力時間帯における貯湯開始時刻から貯湯終了時刻までの時間ｔｎを算出する手段と、深夜電力時間帯における各ヒートポンプ式熱源機の運転台数Ｎを、出湯流量Ｗａ、必要貯湯量Ｗｎ、および時間ｔｎから算出する手段とを有する。
【発明の効果】
【０００９】
この発明の給湯システムによれば、深夜電力時間帯において必要最小限の台数のヒートポンプ式熱源機を運転しながら、湯温低下のない確実な貯湯が可能となる。
【図面の簡単な説明】
【００１０】
【図１】この発明の第１の実施形態の構成を示す図。
【図２】第１の実施形態の作用を説明するためのフローチャート。
【図３】第１の実施形態における外気温度と出湯流量との関係を出湯温度をパラメータとして示す図。
【図４】この発明の第２の実施形態の構成を示す図。
【図５】第２の実施形態の作用を説明するためのフローチャート。
【図６】第３の実施形態の作用を説明するためのフローチャート。
【図７】第４の実施形態に関わる時刻と運転台数の関係を示す図。
【図８】第４の実施形態において設定される時刻と運転台数の関係を示す図。
【発明を実施するための最良の形態】
【００１１】
［１］以下、この発明の第１の実施形態について図面を参照して説明する。  
図１に示すように、給水源（図示しない）に接続される水管１に、複数台のヒートポンプ式熱源機２および密閉型のシステムタンク３が接続される。各ヒートポンプ式熱源機２は、ヒートポンプ式冷凍サイクル１０を有し、水管１から流入する水をヒートポンプ式冷凍サイクル１０の水熱交換器（図示しない）に通して加熱することにより、湯を生成する。
【００１２】
各ヒートポンプ式熱源機２で生成される湯は、湯管４により、システムタンク３および開放型の貯湯タンク５に供給される。また、各ヒートポンプ式熱源機２において、水管１に水温センサ１１が取り付けられ、湯管４に湯温センサ１２が取り付けられる。これら水温センサ１１および湯温センサ１２が、外気温センサ１３と共に、ヒートポンプ式熱源機２の制御部２０に接続される。
【００１３】
各ヒートポンプ式熱源機２の制御部２０は、主要な機能として、次の（１）（２）の手段を有する。  
（１）湯管４への単位時間当たりの出湯流量（加熱能力ともいう）Ｗａを、入水温度（水温センサ１１の検知温度）Ｔｗｉ、予め定められている設定出湯温度Ｔｗａ、および外気温度（外気温センサ１３の検知温度）Ｔｏから算出する手段。
【００１４】
（２）上記算出した出湯流量Ｗａを後述のシステム制御部３０に知らせる手段。
【００１５】
上記貯湯タンク５は、各ヒートポンプ式熱源機２から供給される湯を貯めるもので、貯まっている湯量（残り湯量）Ｗｍを検知するための湯量センサ６を有する。この貯湯タンク５の下部に給湯管７が接続され、その給湯管７の中途部に給湯ポンプ８が設けられている。この給湯ポンプ８の動作により、貯湯タンク５内の湯が利用者側へ供給される。
【００１６】
一方、システム制御部３０に、各ヒートポンプ式熱源機２の制御部２０、湯量センサ６、操作部３１、表示部３２、および時計３３が接続される。
【００１７】
システム制御部３０は、主要な機能として、次の（１１）〜（１４）の手段を有する。  
（１１）貯湯タンク５の貯湯量が予め定められた時刻に、設定貯湯量Ｗｍｓに達するまでの必要貯湯量Ｗｎを、貯湯タンク５の残り湯量（湯量センサ６の検知湯量）Ｗｍおよび設定貯湯量Ｗｍｓから算出する手段。
【００１８】
（１２）２２時〜翌朝８時までの深夜電力時間帯を主として設定された貯湯開始時刻から設定された貯湯終了時刻までの時間ｔｎを算出する手段。
【００１９】
（１３）深夜電力時間帯を主として設定された時間帯における各ヒートポンプ式熱源機２の運転台数Ｎを、各ヒートポンプ式熱源機２から知らされる出湯流量Ｗａ、上記算出した必要貯湯量Ｗｎ、および上記算出した時間ｔｎに基づき、所定時間（例えば１時間）ｔｓごとに算出する手段。
【００２０】
（１４）各ヒートポンプ式熱源機２のうち、上記算出した運転台数Ｎのヒートポンプ式熱源機２を、時計３３の計時に基づく上記貯湯開始時刻から上記貯湯終了時刻までの時間ｔｎにおいて運転する手段。
【００２１】
つぎに、図２のフローチャートを参照しながら作用について説明する。  
操作部３１で夜間貯湯運転が設定されているとき（ステップ１０１のＹＥＳ）、時計３３の計時が同操作部３１で予め設定されている貯湯開始時刻になると（ステップ１０２のＹＥＳ）、各ヒートポンプ式熱源機２の単位時間当たりの出湯流量Ｗａが、それぞれの入水温度Ｔｗｉ、予め定められている設定出湯温度Ｔｗａ、および外気温度Ｔｏに基づいて算出される（ステップ１０３）。
【００２２】
続いて、貯湯タンク５の貯湯量が予め定められている設定貯湯量Ｗｍｓに達するまでの必要貯湯量Ｗｎが、その貯湯タンク５の残り湯量Ｗｍおよび設定貯湯量Ｗｍｓに基づいて算出される（ステップ１０４）。また、深夜電力時間帯における貯湯開始時刻から貯湯終了時刻までの時間ｔｎが算出される（ステップ１０５）。貯湯開始時刻および貯湯終了時刻は、予め操作部３１で自由に設定できる。
【００２３】
さらに、深夜電力時間帯における各ヒートポンプ式熱源機２の運転台数Ｎが、各ヒートポンプ式熱源機２の出湯流量Ｗａ、上記算出された必要貯湯量Ｗｎ、および上記算出した時間ｔｎに基づいて算出される（ステップ１０６）。そして、各ヒートポンプ式熱源機２のうち、上記算出された台数Ｎのヒートポンプ式熱源機２が運転される（ステップ１０７）。この運転開始に伴い、時計３３によるタイムカウントｔ１が実行され（ステップ１０８）、そのタイムカウントｔ１と予め定められている所定時間ｔｓとが比較される（ステップ１０９）。タイムカウントｔ１が所定時間ｔｓに達しないとき（ステップ１０９のＮＯ）、かつ操作部３１で予め設定されている貯湯終了時刻でなければ（ステップ１１０のＮＯ）、同じ台数Ｎの運転が継続される（ステップ１０７）。
【００２４】
なお、各ヒートポンプ式熱源機２のうちどれを運転するかについては、各ヒートポンプ式熱源機２の運転時間がそれぞれ積算されていて、積算時間の短いものから順に運転される。
【００２５】
タイムカウントｔ１が所定時間ｔｓに達すると（ステップ１０９のＹＥＳ）、タイムカウントｔ１がクリアされ（ステップ１１１）、ステップ１０１からの処理が繰り返されて、新たに運転台数Ｎが算出される（ステップ１０６）。そして、新たに算出された台数Ｎのヒートポンプ式熱源機２が運転される（ステップ１０７）。
【００２６】
予め設定されている貯湯終了時刻になると（ステップ１１０のＹＥＳ）、タイムカウントｔ１がクリアされ（ステップ１１１）、ステップ１０１からの処理に戻る。この場合、貯湯終了時刻なので、ステップ１０２の判定がＮＯとなり、運転中のヒートポンプ式熱源機２の総ての運転が停止される（ステップ１１２）。
【００２７】
具体例について説明する。  
運転開始時刻が２２時、運転終了時刻が翌朝８時、運転開始時刻における貯湯タンク５の残り湯量Ｗｍが１，０００（Ｌ；リットル）、設定貯湯量Ｗｍｓが１０，０００（Ｌ）の場合、必要貯湯量Ｗｎとして９，０００（Ｌ）が算出される。
【００２８】
各ヒートポンプ式熱源機２の単位時間当たりの出湯流量Ｗａは、図３に示すように、設定出湯温度Ｔｗａ、外気温度Ｔｏ、入水温度Ｔｗｉをパラメータとして定まる。すなわち、設定出湯温度Ｔｗａ＝６５（℃）、外気温度Ｔｏ＝１６（℃）入水温度Ｔｗｉ＝１７（℃）条件では、単位時間当たりの出湯流量Ｗａ＝２５０（Ｌ／ｈ）となる。
【００２９】
運転開始時刻２２時から運転終了時刻８時までの時間ｔｎは１０時間であり、運転台数Ｎに関して次の条件が成り立つ。  
Ｗｎ＝９，０００＝Ｗａ・Ｎ・ｔｎ＝２５０・Ｎ・１０  
この条件から運転台数Ｎを求めると、Ｎ＝９，０００／２５００＝３．６台となる。なお、小数点を含む運転台数は現実として無理なので、“３．６”を四捨五入した形の“４”が運転台数Ｎとなる。
【００３０】
ただし、運転台数を４台に繰り上げたままの運転では、貯湯タンク５の貯湯量が運転終了時刻８時より前の例えば７時に設定貯湯量Ｗｍｓ（＝満タン）に達してしまう。このままでは、７時から運転終了時刻８時までの１時間にわたり、貯湯タンク５に貯まった湯の熱が貯湯タンク５の壁面を通して逃げ、湯温の低下を招いてしまう。また、運転中に貯湯タンク５内の湯が使用されたり、運転中のヒートポンプ式熱源機２で入水温度Ｔｗｉの変化、外気温度Ｔｏの変化、故障などが生じた場合には、運転終了時刻８時に設定貯湯量Ｗｍｓに満たない場合も考えられる。
【００３１】
しかしながら、運転開始時刻２２時から運転終了時刻８時まで１時間ごとに運転台数Ｎが算出されるので、状況に合わせた最適な運転台数Ｎを逐次に設定することができる。よって、運転終了時刻８時において、設定貯湯量Ｗｍｓを湯温低下なく確保できる。しかも、必要最小限の運転台数Ｎであるから、省エネルギー効果が得られるとともに、騒音の低減が図れる。
【００３２】
［２］第２の実施形態について説明する。なお、図面において図１および図２と同一部分には同一符号を付し、その詳細な説明は省略する。  
図４に示すように、システムタンク３が除去されるとともに、給湯管７における給湯ポンプ８の手前位置に湯管４１およびポンプ４２を介して再加熱機４０の入湯口が接続され、その再加熱機４０の出湯口が湯管４３を介して貯湯タンク５の下部に連通される。
【００３３】
再加熱機４０は、システム制御部３０からの指令に基づき、貯湯運転中に定期的にポンプ４２を運転して貯湯タンク５内の湯を取り込み、取り込んだ湯の温度が所定値以下であるか否かを判定する。そして、再加熱機４０は、所定値たとえば６０（℃）以下であれば再加熱が必要であると判断し、ポンプ４２の運転を続けて貯湯タンク５内の湯を取り込み、取り込んだ湯を内部のヒートポンプ式冷凍サイクルまたは電気ヒータにより加熱して貯湯タンク５に供給する。
【００３４】
ただし、再加熱機４０は、例えば６０（℃）の高温の湯をさらに高い６５（℃）程度まで高めるものであるから、通常の低温水を加熱するヒートポンプ式熱源機２に比べ、運転効率が悪いという特徴がある。すなわち、再加熱機４０の運転にあまり頼ることがないよう、各ヒートポンプ式熱源機２をうまく稼動させることが望ましい。
【００３５】
そこで、貯湯タンク５内に湯温センサ５０が設けられ、その湯温センサ５０がシステム制御部３０に接続される。
【００３６】
システム制御部３０は、図５のフローチャートに示すように、湯温センサ５０で検知される湯温Ｔｈと設定値Ｔｈｓたとえば６５（℃）とを比較する（ステップ１２１）。そして、システム制御部３０は、湯温Ｔｈが６５（℃）以上のとき（ステップ１２１のＹＥＳ）、各ヒートポンプ式熱源機２の設定出湯温度Ｔｗａを通常の例えば６５（℃）に保ち（ステップ１２２）、湯温Ｔｈが６５（℃）未満になると（ステップ１２１のＮＯ）、設定出湯温度Ｔｗａを例えば７５（℃）に高める（ステップ１２３）。
【００３７】
各ヒートポンプ式熱源機２の運転効率は、設定出湯温度Ｔｗａが７５（℃）の場合は６５（℃）の場合に比べ悪くなるが、再加熱機４０の運転効率の悪化に比べれば格段に良い。
【００３８】
このように、湯温Ｔｈに応じて各ヒートポンプ式熱源機２の設定出湯温度Ｔｗａを調整することにより、再加熱機４０の稼働率を低減することができる。これにより、省エネルギー効果の向上が図れる。
【００３９】
他の構成、作用、効果については、第１の実施形態と同じである。よって、その説明は省略する。
【００４０】
［３］第３の実施形態について説明する。なお、図面において図１および図２と同一部分には同一符号を付し、その詳細な説明は省略する。  
ここでは、システム制御部３０が、第１の実施形態の（１１）〜（１４）の手段に代えて、次の（２１）〜（２６）の手段を有する。  
（２１）貯湯タンク５の貯湯量が予め定められている設定貯湯量Ｗｍｓに達するまでの必要貯湯量Ｗｎを、その貯湯タンクの残り湯量（湯量センサ６の検知湯量）Ｗｍおよび設定貯湯量Ｗｍｓから算出する手段。
【００４１】
（２２）２２時〜翌朝８時までの深夜電力時間帯における貯湯開始時刻から貯湯終了時刻までの時間ｔｎを算出する手段。
【００４２】
（２３）深夜電力時間帯における各ヒートポンプ式熱源機２の運転台数Ｎを、各ヒートポンプ式熱源機２から知らされる出湯流量Ｗａ、上記算出した必要貯湯量Ｗｎ、および上記算出した時間ｔｎに基づき算出する手段。
【００４３】
（２４）上記算出される運転台数Ｎが整数でないとき、貯湯開始時刻から所定時間は運転台数Ｎの小数点以下を切り捨てた値を新たな運転台数Ｎａとして設定し、かつ貯湯終了時刻までの残りの時間は運転台数Ｎの小数点以下を切り上げた値を新たな運転台数Ｎｂとして設定する手段。
【００４４】
（２５）上記算出される運転台数Ｎが整数のとき、各ヒートポンプ式熱源機２のうち、上記算出した運転台数Ｎのヒートポンプ式熱源機２を、時計３３の計時に基づく上記貯湯開始時刻から上記貯湯終了時刻までの時間ｔｎにおいて運転する手段。
【００４５】
（２６）上記算出される運転台数Ｎが整数でないとき、貯湯開始時刻から所定時間は上記設定した運転台数Ｎａのヒートポンプ式熱源機２を時計３３の計時に基づいて運転し、かつ貯湯終了時刻までの残りの時間は上記設定した運転台数Ｎｂのヒートポンプ式熱源機２を時計３３の計時に基づいて運転する手段。
【００４６】
図６のフローチャートを参照しながら作用について説明する。  
深夜電力時間帯における各ヒートポンプ式熱源機２の運転台数Ｎが、各ヒートポンプ式熱源機２の出湯流量Ｗａ、上記算出した必要貯湯量Ｗｎ、および上記算出した時間ｔｎに基づいて算出される（ステップ１０６）。
【００４７】
算出された運転台数Ｎが整数でないとき（ステップ１３１のＹＥＳ）、貯湯開始時刻から所定時間は運転台数Ｎの小数点以下を切り捨てた値が新たな運転台数Ｎａとして設定され、運転台数Ｎａのヒートポンプ式熱源機２が運転されるとともに、貯湯終了時刻までの残りの時間は運転台数Ｎの小数点以下を切り上げた値が新たな運転台数Ｎｂとして設定され、運転台数Ｎｂのヒートポンプ式熱源機２が運転される（ステップ１３２）。
【００４８】
算出された運転台数Ｎが整数のとき（ステップ１３１のＮＯ）、算出された運転台数Ｎのヒートポンプ式熱源機２が運転される（ステップ１３３）。
【００４９】
具体例について説明する。  
運転開始時刻が２２時、運転終了時刻が翌朝８時、運転開始時刻における貯湯タンク５の残り湯量Ｗｍが１，０００（Ｌ）、設定貯湯量Ｗｍｓが１０，０００（Ｌ）の場合、必要貯湯量Ｗｎとして９，０００（Ｌ）が算出される。
【００５０】
各ヒートポンプ式熱源機２の単位時間当たりの出湯流量Ｗａについては、図３に示すように、設定出湯温度Ｔｗａ、外気温度Ｔｏ、入水温度Ｔｗｉをパラメータとして定まる特性がある。すなわち、設定出湯温度Ｔｗａ＝６５（℃）、外気温度Ｔｏ＝１６（℃）入水温度Ｔｗｉ＝１７（℃）条件では、単位時間当たりの出湯流量Ｗａ＝２５０（Ｌ／ｈ）となる。
【００５１】
運転開始時刻２２時から運転終了時刻８時までの時間ｔｎは１０時間であり、運転台数Ｎに関して次の数式が成り立つ。  
Ｗｎ＝９，０００＝Ｗａ・Ｎ・ｔｎ＝２５０・Ｎ・１０  
運転台数Ｎを求めると、Ｎ＝９，０００／２５００＝３．６台となる。なお、小数点を含む運転台数は現実として無理なので、３．６台を四捨五入してＮ＝４台とする。
【００５２】
ただし、３．６台であるべき運転台数を４台に繰り上げたままの運転では、図７に示すように、貯湯タンク５の貯湯量が運転終了時刻８時より前の７時に設定貯湯量Ｗｍｓ（＝満タン）に達し、その時点で運転停止となる。このままでは、７時から運転終了時刻８時までの１時間にわたり、貯湯タンク５に貯まった湯の熱が貯湯タンク５の壁面を通して逃げ、湯温が低下してしまう。
【００５３】
そこで、運転台数Ｎ＝３．６台が算出された場合は、図８に示すように、貯湯開始時刻から４時間は運転台数Ｎの小数点以下を切り捨てた値“３”が新たな運転台数Ｎａとして設定され、かつ貯湯終了時刻までの残りの６時間は運転台数Ｎの小数点以下を切り上げた値“４”が新たな運転台数Ｎｂとして設定される。
【００５４】
このように、運転台数Ｎを調整することにより、運転終了時刻８時において、設定貯湯量Ｗｍｓを湯温低下なく確実に確保できる。
【００５５】
他の構成、作用、効果については、第１の実施形態と同じである。よって、その説明は省略する。
【００５６】
［４］変形例  
なお、上記各実施形態において、ヒートポンプ式熱源機２の台数について限定はなく、利用者側の湯の使用量などに応じて適宜に選定可能である。その他、この発明は、上記各実施形態そのままに限定されるものではなく、実施段階ではその要旨を逸脱しない範囲で構成要素を変形して具体化できる。また、上記各実施形態に開示されている複数の構成要素の適宜な組み合わせにより種々の発明を形成できる。各実施形態に示される全構成要素から幾つかの構成要素を削除することも可能である。
【符号の説明】
【００５７】
１…水管、２…ヒートポンプ式熱源機、４…湯管、５…貯湯タンク、６…湯量センサ、７…給湯管、８…給湯ポンプ、１０…ヒートポンプ式冷凍サイクル、１１…入水温センサ、１２…出湯温センサ、１３…外気温センサ、２０…制御部、３０…システム制御部、３１…操作部、３２…表示部、３３…時計、４０…再加熱機、５０…湯温センサ
【図１】
2010230175.tif 000003
【図２】
2010230175.tif 000004
【図３】
2010230175.tif 000005
【図４】
2010230175.tif 000006
【図５】
2010230175.tif 000007
【図６】
2010230175.tif 000008
【図７】
2010230175.tif 000009
【図８】
2010230175.tif 000010